(57)【特許請求の範囲】
【請求項１】
一枚の板紙を素材とし、この板紙を折り曲げて接着することによって構成したＣＤ用パッケージであって、
全体を矩形状に形成した上カバー板（２）の略中央部分に、ＣＤ（１０）と略同じ大きさの直径を有し、且つ、その内周縁（３Ｒ）の一部にＣＤ（１０）の外周縁を係止する庇状のポケット片（３Ａ）を内向きに連設した嵌込穴（３）を開口形成する一方、この上カバー板（２）の一端に折曲線（２Ａ）を介して上カバー板（２）と略同じ大きさの台板（６）を連設し、当該上カバー板（２）の他端部と左右両側には、夫々折曲線（２Ｃ，４Ｂ，４Ｂ）を介して先端折返し片（５）と左右の折返し片（４，４）を連設して、これ等左右の折返し片（４，４）を各折曲線（４Ｂ，４Ｂ）の部分で上記上カバー板（２）の裏面側に接するように折り曲げると共に、上記の台板（６）を折曲線（２Ａ）の部分で上カバー板（２）の裏面側に折り曲げて、上記左右の折返し片（４，４）の面をこの台板（６）の表面側に接着し、且つ、上記上カバー板（２）の先端折返し片（５）を折曲線（２Ｃ）の部分で上記台板（６）の底面側に折り曲げて接着することにより、上カバー板（２）と台板（６）との間にＣＤ（１０）を嵌込んで支持するディスク収納室（１Ｈ）を構成したことを特徴とするＣＤ用パッケージ。
【請求項２】
上カバー板（２）に開口形成した嵌込穴（３）の内周縁（３Ｒ）に、ＣＤ取出し用の指掛溝（３Ｂ）を凹設すると共に、台板（６）の表面中央部と外周部分にＣＤ（１０）をその信号面を台板（６）の表面から浮かした状態に支持することができる中央凸面部（６Ｄ）と外周筋押し部（６Ｃ）とを設けたことを特徴とする請求項１記載のＣＤ用パッケージ。
【請求項３】
上カバー板（２）に開口形成した嵌込穴（３）の内周縁（３Ｒ）のうち、前記先端折返し片（５）を連設した側の内周縁（３Ｒ）の部分に前記の庇状のポケット片（３Ａ）を内向きに突出した状態で連設し、この庇状のポケット片（３Ａ）を連設した側とは相対向する前記台板（６）を連設した側の内周縁（３Ｒ）に、左右両側の指掛溝（３Ｂ，３Ｂ）を凹設すると共に、上記台板（６）を連設した側の内周縁（３Ｒ）と前記折曲線（２Ａ）との間隔を可及的に狭く造ることにより、常時上向きに開口する口縁部（３Ｘ）を構成したことを特徴とする請求項１又は２記載のＣＤ用パッケージ。
【請求項４】
前記上カバー板（２）と台板（６）の全体を、上下の寸法を長くした略ブック型形状に構成したことを特徴とする請求項１又は２記載のＣＤ用パッケージ。
【発明の詳細な説明】
【０００１】
【発明の属する技術分野】
本発明は、コンパクトディスク（以下単にＣＤと言う）を収納するためのパッケージに関するものである。
【０００２】
【従来の技術】
従来の一般的なＣＤ用パッケージには、例えば、特開昭５８−１５５５８３号公報等に見られるように、全体をプラスチック材を用いて開閉蓋付きのケース状に構成したものや、或は、板紙にプラスチック製のトレイを接着してケース状に構成したもの等が存在し、いずれも、プラスチック製のトレイにＣＤを嵌込んで収納する構成が採用されていた。
【０００３】
【発明が解決しようとする課題】
しかし、ＣＤが音楽用としてだけではなく、映像用やコンピュータ用の記憶媒体として広く普及して来るに伴い、その不要となった時の廃棄処分の際に、上述したＣＤ用パッケージを含めて全体がプラスチック製であるが故に、環境汚染の問題が大きくクローズアップされることに至った。
【０００４】
そこで本発明の技術的課題は、従来のＣＤ用プラスチックケース及びトレイと同様の収納性を備えると共に、リサイクル及び焼却等のいずれの処理にも容易に対処でき、而かも、低コストにて製造することができる紙製のＣＤ用パッケージを提供することである。
【０００５】
【課題を解決するための手段】
（１）  上記の技術的課題を解決するために、本発明の請求項１に係るＣＤ用パッケージは、一枚の板紙を素材とし、この板紙を折り曲げて接着することによって構成したＣＤ用パッケージであって、全体を矩形状に形成した上カバー板の略中央部分に、ＣＤと略同じ大きさの直径を有し、且つ、その内周縁の一部にＣＤの外周縁を係止する庇状のポケット片を内向きに連設した嵌込穴を開口形成する一方、この上カバー板の一端に折曲線を介して上カバー板と略同じ大きさの台板を連設し、当該上カバー板の他端部と左右両側には、夫々折曲線とを介して先端折返し片と左右の折返し片を連設して、これ等左右の折返し片を各折曲線の部分で上記上カバー板の裏面側に接するように折り曲げると共に、上記の台板を折曲線の部分で上カバー板の裏面側に折り曲げ、上記左右の折返し片の面をこの台板の表面側に接着し、且つ、上記上カバー板の先端折返し片を折曲線の部分で上記台板の底面側に折り曲げて接着することにより、上カバー板と台板との間にＣＤを嵌込んで支持するディスク収納室を構成したことを特徴としている。
【０００６】
上記（１）で述べた手段によれば、ＣＤを上記上カバー板に設けた嵌込穴よりこの上カバー板と台板との間のディスク収納部内に嵌込んで収納でき、且つ、収納したＣＤを庇状のポケット片が上から押え込んでディスク収納部からの抜け出しを防止して、ディスク収納部内に嵌込んだＣＤを確実に保持できる一方、これ等上カバー板と台板の全てを一枚の板紙を用いて構成しているため、従来のプラスチック製のものに比較して製造コストを安くすることができると共に、リサイクル又は焼却のいずれの処理も環境を汚染することなく容易に行うことを可能にする。また、上記左右の折返し片と先端折返し片の接着によって、上カバー板と台板の間に構成したディスク収納室内に収納したＣＤが、ディスク収納室から抜け出ることを防止して、ＣＤを安全に収納することを可能にする。
【０００７】
（２）  また、本発明の請求項２に係るＣＤ用パッケージは、上カバー板に開口形成した嵌込穴の内周縁に、ＣＤ取出し用の指掛溝を凹設すると共に、台板の表面中央部と外周部分にＣＤをその信号面を台板の表面から浮かした状態に支持することができる中央凸面部と外周筋押し部とを設けたことを特徴としている。
【０００８】
上記（２）で述べた手段によれば、ディスク収納室内に収納したＣＤの取出しを、上記の指掛溝を用いて容易に行うことができると共に、ディスク収納室に収納したＣＤの信号面を、上記の中央凸面部と外周筋押し部とによって台板の上面から浮かして支持することにより、これを安全に保護することを可能にする。
【０００９】
（３）  また、本発明の請求項３に係るＣＤ用パッケージは、上カバー板に開口形成した嵌込穴の内周縁のうち、前記先端折返し片を連設した側の内周縁の部分に前記の庇状のポケット片を内向きに突出した状態で連設し、この庇状のポケット片を連設した側とは相対向する前記台板を連設した側の内周縁に、左右両側の指掛溝を凹設すると共に、上記台板を連設した側の内周縁と前記折曲線との間隔を可及的に狭く造ることにより、常時上向きに開口する口縁部を構成したことを特徴としている。
【００１０】
上記（３）で述べた手段によれば、上記の庇状のポケット片によって係止されているＣＤを、相対向する位置に設けた指掛溝に指を差込むことにより、ディスク収納室内から嵌込穴を通して外部に容易に取り出すことができると共に、上記間隔を可及的に狭く造った部分の嵌込穴の口縁部分を常時上方に開くように開口させて、この部分からのＣＤの嵌込みと取出しを容易に行うことを可能にする。
【００１１】
（４）  更に、本発明の請求項４に係るＣＤ用パッケージは、前記上カバー板と台板の全体を、上下の寸法を長くした略ブック型形状に構成したことを特徴としている。
【００１２】
上記（４）で述べた手段によれば、全体を板紙で長方形状に造ったブック型のＣＤ用パッケージを提供することを可能にする。
【００１３】
【発明の実施の形態】
以下に、上述した本発明に係るＣＤ用パッケージの実施の形態を図面と共に説明すると、図１はその展開図を示し、図中、符号１で全体的に示したＣＤ用パッケージは１枚の板紙を素材にして、これを打ち抜き形成することによって構成されるものであって、２は全体を正方形に近い矩形状に形成し、その中央部にＣＤ１０（図２参照）の直径１２ｃｍと略同じ大きさの直径を有する嵌込穴３を大きく開口形成した上カバー板、６は折曲線２Ａを介してこの上カバー板２の一側に連設した台板で、これ等上カバー板２と台板６は同じ大きさに形成している。
【００１４】
４，４は上カバー板２の左右両側に折曲線４Ｂ，４Ｂを介して連設した左右の折返し片、５は同じく折曲線２Ｃを介して上カバー板２の先端側に連設した先端折返し片、３Ａは上記嵌込穴３の内周縁３Ｒのうち、上記先端側の折曲線２Ｃに近い内周縁３Ｒの部分に、内向きに突出するように連設した庇状のポケット片、３Ｂ，３Ｂはこの庇状のポケット片３Ａに相対向する折曲線２Ａ側の内周縁３Ｒの左右に凹設した指掛溝で、上述した左右の折返し片４，４は各折曲線４Ｂ，４Ｂの部分で図２の（イ）図に示すように上カバー板２側に折り重ねて、夫々接着部Ｘ１，Ｘ１，Ｘ２，Ｘ２で接着される仕組に成っており、また、これ等両折返し片４，４の外側縁には、上記嵌込穴３の内周縁３Ｒと同じ曲線の切欠部４Ａ，４Ａが形成されている。
【００１５】
３Ｘは、上記嵌込穴３の内周縁３Ｒと上記折曲線２Ａとの間隔を可及的に狭く造ることにより、上記の台板６を折曲線２Ａの部分で上カバー板２側に折り重ねた場合に、素材の持つ弾発力によって常時上向きに開口するように作用する口縁部であって、この口縁部３Ｘの存在によってＣＤ１０を嵌込穴３に対して抜き差しする時に、その操作を簡単、且つ、確実に行うことを可能にしている。
【００１６】
また、６Ｄは台板６の底面中央部を加圧することにより、図１に於いて少し手前側に突出するように構成した中央凸面部、６Ｃは中央凸面部６Ｄの周囲を囲むようにＣＤ１０の直径よりも少し小さな直径（例えば１１．５ｃｍ）で台板６に押圧形成した外周筋押し部で、この台板６の上面に載置されるＣＤ１０は、中央部とその外周縁をこれ等中央凸面部６Ｄと外周筋押し部６Ｃとによって、その信号面を台板６の上面から少し浮かした状態で支持される仕組に成っている。
【００１７】
更に図中、Ｙ１，Ｙ１，Ｙ２，Ｙ２，Ｙ３，Ｙ３は、折曲線２Ａの部分で上カバー板２側に折り重ねた台板６を、上カバー板２側に接着する接着部、６Ａ，６Ａと６Ｂ，６Ｂは、台板６の上記外周筋押し部６Ｃの外側部分に設けた補強用の筋押し部を示し、Ｙ４は上記上カバー板２側に折り重ねて接着した台板６の底面側に、折曲線２Ｃに沿って折り重ねた上記先端折返し片５を接着する接着部を示す。
【００１８】
図２は、図１の如く構成した板紙製の素材を折り曲げて接着することにより、本発明に係るＣＤ用パッケージ１を組立てる手順を説明したものであって、組立てに当っては、先ず（イ）図の如く左右の折返し片４，４を内側に折り重ねて接着部Ｘ１，Ｘ１，Ｘ２，Ｘ２で接着する。この接着に当っては、ＣＤ１０の外周縁を差込み可能にするため、図１の如く各接着部Ｘ１〜Ｘ２を嵌込穴３から少し離れた外周縁部分に設ける必要がある。
【００１９】
次いで、（ロ）図の如く台板６を折曲線２Ａの部分で折って上カバー板２の上に折り重ねて、各接着部Ｙ１，Ｙ１，Ｙ２，Ｙ２，Ｙ３，Ｙ３の部分で接着するが、これ等の接着部Ｙ１〜Ｙ３も上述した接着部Ｘ１〜Ｘ２と同様に嵌込穴３から少し離れた外周縁部分に設けられている。
【００２０】
最後に（ハ）図の如く先端折返し片５を折曲線２Ｃの部分で折り曲げて、上記接着部ＹＡの部分で台板６側に接着することによって、同図の如くＣＤ１０を収納自在に構成したＣＤ用パッケージ１が組立てられる。
【００２１】
図３の（イ）図と（ロ）図は、上記図２の（ハ）図に示されたＣＤ用パッケージ１のＸ−Ｘ線とＹ−Ｙ線に沿った各拡大断面図であって、これ等の図面に於いて、１Ｈは上記折り重ねて接着した上カバー板２と台板６とによって構成されたＣＤ１０用のディスク収納室、４Ｈ，４Ｈは左右の折返し片４，４によって構成された収納部で、上記ディスク収納室１Ｈに対するＣＤ１０の挿入と取り出しは、いずれも大きく開口形成された嵌込穴３を通して行われる仕組に成っている。
【００２２】
図４は、本発明に係るＣＤ用パッケージ１の要部を拡大して示したものであって、嵌込穴３よりディスク収納室１Ｈ内に収納されたＣＤ１０が、前述したようにこの庇状のポケット片３Ａによってその外周縁１０Ｔが保持されて嵌込穴３から簡単に抜け出ない仕組に成っている。また、図５は常時上向きに開口する口縁部３Ｘの部分を拡大して示したものであって、この口縁部３Ｘの存在によって、前述したようにＣＤ１０の嵌込穴３への嵌込みと取り出し、即ち、ディスク収納室１Ｈに対する嵌込みと取り出しが容易に行える仕組に成っている。
【００２３】
図６は、全体を板紙を用いて長方形状のブック型形状に形成した本発明に係るＣＤ用パッケージ１１の構成を説明した展開図であって、図中、１２，１３，１４は夫々折曲線１５，１６を介して連設した中板と上カバー板と台板で、中板１２と上カバー板１３の中央部には夫々ＣＤ１０の直径と同じ大きさの嵌込穴１２Ｈ，１３Ｈが開口形成され、各その内周縁１２Ｒ，１３ＲにはＣＤ取り出し用の指掛溝１２Ｔ，１３Ｔが凹設され、また、上カバー板１３に設けた嵌込穴１３Ｈの内周縁１３Ｒには、嵌込んだＣＤ１０の抜け出しを防止する庇状のポケット片１３Ａが内向きに突出形成されている。
【００２４】
また、上記の台板１４には、上記図１乃至図５に示したＣＤ用パッケージ１と同様に、ＣＤ１０の信号面を保護する中央凸面部１４Ａと外周筋押し部１４Ｂが押圧形成され、更に、補強用の筋押し部１４Ｃ，１４Ｃも押圧形成されている。
【００２５】
以上の如く構成したＣＤ用パッケージ１１を組立てるには、先ず中板１２を折曲線１５の部分で折り曲げて、上カバー板１３の内側面に各嵌込穴１２Ｈ，１３Ｈを合致するように折り重ね、各接着部１２Ａ，１２Ｂ，１２Ｃ，１２Ｄ，１２Ｅ…で互いに接着する。
【００２６】
次いで、台板１４を折曲線１６の部分で折り曲げて上記中板１２の面に折り重ね、両者を各接着部１４Ｄ，１４Ｅ，１４Ｆ…で接着すれば、図７に示すように嵌込穴１２Ｈ，１３Ｈを前面に大きく開口形成したＣＤ用パッケージ１１を組立てることができるものであって、ＣＤ１０を確実に収納できる点、ＣＤ１０の嵌込みと取り出しを容易に行える点、収納したＣＤ１０を庇状のポケット片１３Ａが保持する点は、いずれも前述したＣＤ用パッケージ１と同じである。
【００２７】
【発明の効果】
以上述べた次第で、本発明に係るＣＤ用パッケージは、その全体が板紙を用いて構成されていて、プラスチックを一切使用していないため、リサイクル及び焼却等の処理を周囲の環境を汚染することなく容易に、且つ、衛生的に行える利点を備えると共に、製造コストを大幅に安くできる経済性も備えるものであって、従来のプラスチック製ケースやトレイと同様の収納性と安全性を備えている点と相俟って、自然環境にやさしいＣＤ用パッケージを提供することができる。
【図面の簡単な説明】
【図１】  本発明に係るＣＤ用パッケージの展開図である。
【図２】  （イ）図と（ロ）図と（ハ）図は本発明のＣＤ用パッケージを組立てている状態を工程順に示した説明図である。
【図３】  （イ）図は上記図２の（ハ）図に示したＸ−Ｘ線に沿った拡大断面図で、（ロ）図は同じくＹ−Ｙ線に沿った拡大断面図である。
【図４】  本発明の要部を拡大して示した構成図である。
【図５】  本発明の常時上向きに開口する口縁部の構成を説明した断面図である。
【図６】  本発明の他の実施例であるブック型ＣＤ用パッケージの展開図である。
【図７】  本発明に係るブック型ＣＤ用パッケージの正面図である。
【符号の説明】
１，１１            ＣＤ用パッケージ
１Ｈ                ディスク収納室
２，１３            上カバー板
３，１３Ｈ          嵌込穴
３Ｒ，１３Ｒ        内周縁
３Ａ，１３Ａ        庇状のポケット片
３Ｂ，１３Ｂ        指掛溝
６，１４            台板
６Ｄ，１４Ａ        中央凸面部
６Ｂ，１４Ｂ        外周筋押し部
１０                ＣＤ
【図１】
0004043165.tif 000002
【図２】
0004043165.tif 000003
【図３】
0004043165.tif 000004
【図４】
0004043165.tif 000005
【図５】
0004043165.tif 000006
【図６】
0004043165.tif 000007
【図７】
0004043165.tif 000008